(57)【要約】【課題】より簡単なプロセスでパターンを精度よく形成することができるパターン形成方法、及び形成されたパターン並びにパターンと半導体素子を備えたデバイスを提供する。【解決手段】前記基板上に、親水性感光樹脂層を形成する工程（１）と、前記親水性感光樹脂層に光を照射して、設定されたパターン形状のエッジに隣接するエッジ周辺部の表面を予め変質させる工程（２）と、前記光照射後の基板をフッ素系化合物からなる液体または気体に曝してエッジ周辺部表面を撥水化する工程（３）と、前記表面が撥水化されたエッジ周辺部により区画されたパターン形状領域内にインク液を配置する工程（４）と、を有するパターン形成方法により、導電性パターンを形成し、半導体素子を実装してデバイス（例えば、非接触ＩＣカード）を構成する。【選択図】図１
2014004512.tif 000002
【特許請求の範囲】
【請求項１】
基板上に、インク液を配置してパターンを形成するパターン形成方法であって、
前記基板上に、親水性感光樹脂層を形成する工程と、
前記親水性感光樹脂層に光を照射して、設定されたパターン形状のエッジに隣接するエッジ周辺部の表面を予め変質させる工程と、
前記光照射後の基板をフッ素系化合物からなる液体または気体に曝してエッジ周辺部表面を撥水化する工程と、
前記表面が撥水化されたエッジ周辺部により区画されたパターン形状領域内にインク液を配置する工程と、
を有することを特徴とするパターン形成方法。
【請求項２】
前記インク液が、導電性インクであることを特徴とする請求項１に記載のパターン形成方法。
【請求項３】
前記光照射が、レーザー光線によるものであることを特徴とする請求項１または２に記載のパターン形成方法。
【請求項４】
前記エッジ周辺部により区画されたパターン形状領域内にインク液を配置する工程の後、熱処理することを特徴とする請求項１乃至３のいずれかに記載のパターン形成方法。
【請求項５】
前記インク液を配置する工程が、インクジェット法によるものであることを特徴とする請求項１乃至４のいずれかに記載のパターン形成方法。
【請求項６】
前記基板が、ポリエチレンテレフタレートフィルムあるいはポリエチレンナフタレートフィルムであることを特徴とする請求項１乃至５のいずれかに記載のパターン形成方法。
【請求項７】
請求項１乃至６のいずれかに記載のパターン形成方法により形成されたことを特徴とするパターン。
【請求項８】
請求項７に記載のパターンが導電性であり、該パターンと半導体素子を備えたことを特徴とするデバイス。
【請求項９】
前記デバイスが、非接触ＩＣカードであることを特徴とする請求項８に記載のデバイス。
【発明の詳細な説明】
【技術分野】
【０００１】
本発明は、基板上にパターンを形成する方法に関し、詳しくは、より簡便なプロセスで精度よく導電性等のパターンを形成することができるパターン形成方法、およびパターンと半導体素子を備えたデバイスに関する。
【背景技術】
【０００２】
電子部品の導電回路形成や電磁波シールド用部材の薄膜形成などのパターニング手法として、基板に貼り付けるか蒸着やスパッタで形成した金属箔（例えば、銅張り基材）をエッチングする方法（フォトリソ法なども含む）や、熱硬化型、熱可塑型の導電性インクを使ってスクリーン印刷により回路あるいは回路パターンを形成し熱処理する方法、あるいは導電性インクを使ってインクジェットで印刷する方法などが知られている。
エッチング法は、金属の表面や形状を化学的あるいは電気化学的に溶解除去して所定のパターンを形成するもので、表面処理を含めた広義の加工技術である。すなわち、エッチングは化学加工の一種であり、主に金属表面に希望のパターン形状を得るために行われるが、一般的に工程が煩雑であり、また後工程で廃液処理が必要であるために課題が多い。 また、エッチング法によって形成された導電回路は、アルミニウムや銅など金属のみで形成されたものであるため、折り曲げ等の機械的あるいは物理的衝撃に対して弱いという問題がある。
スクリーン印刷は、版（スクリーン）を介してインク（例えば、導電性インク）を塗布し印刷するものであり、形成したいパターン用のスクリーンを準備しなくてはならない。すなわち、用いる導電性インクもスクリーンも形成したいパターンの精度に合わせて準備する必要があり、パターンが異なる毎にそれに応じた違うスクリーンを用意する必要がある。
インクジェット法は、液体吐出ヘッドからインクなどの液体材料を液滴状として吐出し、被印刷基材上に印刷するものであり、スクリーン印刷法と比べると、大型の画面の全体にわたってパターン精度を均等にするのが容易であるとともに、頻繁に行わなければならない版交換が不要なので費用および時間を節約できるという利点を有する。このように、インクジェット法は、スクリーン印刷法に較べて大型の画面におけるパターン精度の均等性や、版交換を不要とする特長がある。しかし、インクジェット法によるパターン形成においては、（１）被形成面の濡れ性が良好でなければ、インクの飛散や流動が生じること、（２）パターンエッジに液滴の吹き付けに特有の微視的な凹凸が生じることなどの問題がある。
前述の各種パターニング手法における問題を解決するため、種々のパターン形成方法が検討され提案されている。
【０００３】
例えば、特許文献１には、輪郭の滑らかなパターンのインク膜を形成する手法が提案されており、インクを吹き付けるべき領域以外をフォトレジストでマスキングする方法、および感光性インクでパターンを形成した後に露光・現像によってパターンエッジを整形する方法が記載されている。特許文献１の手法により、プラズマディスプレイパネルの製造の際の電極等の膜材料の節減と精度の高いパターン形成が可能な製造方法が提供されるとしている。
また、特許文献２には、液晶パネルのカラーフィルタの形成に際して、エネルギー照射によって濡れ性が変化する光触媒含有層を基板上に形成し、エネルギーのパターン照射をして光触媒含有層の一部について濡れ性を高めた後、濡れ性の高められた部分に着色インクを付着させる製造方法が提案されている。すなわち、被形成面における所望パターンの部分のみについて濡れ性を高める方法が記載されている。特許文献２の手法により、濡れ性の良い部分と悪い部分とのパターンを少ない工程で容易に形成することができ、さらにインクの吸収層が不要で、品質が良好かつ低コストでカラーフィルタが製造できるとしている。
また、特許文献３には、基板上に構成要素のパターンを包含するように部分的に濡れ性を高める表面処理材をパターン印刷し、この下地膜を光照射によってパターン整形し、整形後の下地膜を利用して基板上に選択的にインクを付着させて所望パターンの構成要素を形成するフラットパネルディスプレイの製造方法が提案されている。この工程では光を照射したところの下地膜はＯＨ基等が結合しやすい親水性の領域になる。特許文献３の手法により、画面のセル配置に対応したパターンの構成要素をできるだけ少ない材料で所望のパターンどおりに形成することができるとしている。
また、特許文献４には、第１の液滴の周縁部にスキン層を形成させてバンクを形成し、このバンク内に第２の液滴を滴下し、乾燥させて単層膜を形成する膜形成方法が提案されている。特許文献４の手法により、印刷法またはフォトリソグラフィによるパターニング工程を要せずバンクを形成することができ、材料使用量の低減化を図ることができるとしているが、第１の液滴の滴下だけで精度の良いラインを有するバンクの形成は難しく、高精度のパターンエッジ形成は困難である。
また、特許文献５には、基板に予め機能液に対する障壁としてバンクを形成した後、バンク間の溝上に高表面エネルギー部を形成し、バンク上に低表面エネルギー部を形成する前処理をし、バンク間の溝に機能液を供給することが提案されている。特許文献５の手法により、微細で均一な機能性パターンの形成が可能であるとしているとしているが、バンク形成においてフォトリソグラフィによるパターニング工程を必要とする難点がある。
また、特許文献６には、基体上に形成した自己組織化単分子膜にレーザー光で露光して自己組織化単分子膜パターンを形成し、このパターン上に薄膜材料を選択的に配して薄膜パターンを形成する方法が提案されている。特許文献６の手法により、微細な薄膜パターンが短時間で簡便に形成できるとしているが、自己組織化単分子膜の形成後、レーザー光で露光してエッチングを繰り返してパターン化するという長い工程となっている。
また、特許文献７には、有機樹脂溶液塗布により表面凹凸の最大山高さを調整した有機樹脂層に紫外線照射、電子線照射、コロナ放電あるいはオゾン処理して有機樹脂層表面の一部に親水性領域を形成することを基本技術とする基板、導電性基板および有機電界効果型トランジスタの製造方法が提案されている。特に、樹脂基材のような凹凸のある基材上に、種々の応用が可能な電極、金属配線、絶縁層などの層や、これらの層の微細なパターンなどを形成できる基板、導電性基板に関する。特許文献７の手法により、樹脂基材のように表面に凹凸や突起物が多い基材上でも、所望の層が形成できるとしているが、感光性樹脂の露光部分は親水性の領域になっている。
また、特許文献８には、偏光層の両表面に形成された支持層を有する偏光基板の一方の支持層の表面に形成されたアンダーコート層（中心線平均粗さが１００〜５００ｎｍ）と、含フッ素シラン化合物（オリゴマーおよびポリマーの少なくとも一種からなる）を用いて形成（物理的気相成長法によって堆積）された汚染防止層とを有する偏光板が提案されている。物理的気相成長法としては、真空蒸着などの真空プロセスで作成している。特許文献８の手法により、表面反射が少なく優れた視認性を確保しながら、撥水性，汚染防止性に優れた偏光板が提供されるとしている。
【０００４】
しかし、上記従来技術ではプロセスが煩雑で時間を要したり、廃液処理が必要であったりするため今だ十分ではなく、さらに容易なプロセスで簡便にパターンを形成することができる手法の開発が要望されている。
【発明の概要】
【発明が解決しようとする課題】
【０００５】
本発明は、上記従来技術に鑑みてなされたものであり、複雑なパターニング工程によらず、より簡単なプロセスでパターンを精度よく形成することができるパターン形成方法、および該パターン形成方法により形成されたパターン並びにパターンと半導体素子を備えたデバイスを提供することを目的とする。
【課題を解決するための手段】
【０００６】
本発明者らは鋭意検討した結果、基板上に、親水性感光樹脂層を形成し、この親水性感光樹脂層に光を照射して、設定されたパターン形状のエッジに隣接するエッジ周辺部（パターンのエッジラインに沿って隣接するライン外側の狭小領域）の表面を予め変質させた後、フッ素系化合物の雰囲気（液体または気体）中に曝して前記変質したエッジ周辺部表面を撥水化し、撥水化されたエッジ周辺部により区画されたパターン形状領域内にインク液を配置する簡単なプロセスで精度よくパターンを形成することができることを見出し本発明に至った。以下、本発明について具体的に説明する。
すなわち、上記課題は、基板上に、インク液を配置してパターンを形成するパターン形成方法であって、前記基板上に、親水性感光樹脂層を形成する工程と、前記親水性感光樹脂層に光を照射して、設定されたパターン形状のエッジに隣接するエッジ周辺部の表面を予め変質させる工程と、前記光照射後の基板をフッ素系化合物からなる液体または気体に曝してエッジ周辺部表面を撥水化する工程と、前記表面が撥水化されたエッジ周辺部により区画されたパターン形状領域内にインク液を配置する工程と、を有することを特徴とするパターン形成方法により解決される。
また、上記課題は、請求項１乃至６のいずれかに記載のパターン形成方法により形成されたことを特徴とするパターンにより解決される。
また、上記課題は、請求項７に記載のパターンが導電性であり、該パターンと半導体素子を備えたことを特徴とするデバイスにより解決される。
【発明の効果】
【０００７】
発明のパターン形成方法は、基板上に、親水性感光樹脂層を形成する工程と、前記親水性感光樹脂層に光を照射して、設定されたパターン形状のエッジに隣接するエッジ周辺部の表面を予め変質させる工程と、前記光照射後の基板をフッ素系化合物からなる液体または気体に曝してエッジ周辺部表面を撥水化する工程と、前記表面が撥水化されたエッジ周辺部により区画されたパターン形状領域内にインク液を配置する工程と、を有するものであるため、複雑なパターニング工程によらず、より簡単なプロセスでパターンを精度よく形成することができる。
また、本発明のパターン形成方法により形成されたパターン、あるいはパターンと半導体素子を備えたデバイスとすれば、細線状のパターンにおけるパターンエッジを精度よく安定して形成することができ、パターンの微細化および材料使用量の低減化を図ることができる。
【図面の簡単な説明】
【０００８】
【図１】本発明に係るパターン形成方法のプロセスを示す概略模式図である。
【図２】インクジェット法に用いる液滴吐出塗布装置の構成を示す斜視図である。
【発明を実施するための形態】
【０００９】
前述のように本発明におけるパターン形成方法は、基板上に、インク液を配置してパターンを形成するパターン形成方法であって、
前記基板上に、親水性感光樹脂層を形成する工程と、
前記親水性感光樹脂層に光を照射して、設定されたパターン形状のエッジに隣接するエッジ周辺部の表面を予め変質させる工程と、
前記光照射後の基板をフッ素系化合物からなる液体または気体に曝してエッジ周辺部表面を撥水化する工程と、
前記表面が撥水化されたエッジ周辺部により区画されたパターン形状領域内にインク液を配置する工程と、
を有することを特徴とするものである。
【００１０】
従来、基板上にパターン（例えば、導電性パターン）を形成するには、エッチング法、スクリーン印刷法、インクジェット印刷法などが用いられているが、エッチング法では、工程が煩雑で、廃液処理を必要とするなどの問題があり、スクリーン印刷法では、パターン精度や種類に応じて新たな版（スクリーン）の準備を必要とするなどの問題がある。インクジェット印刷法は、直接インク液（以降、インクと略称することがある。）を吐出して描画でき、スクリーン印刷法のような版交換が不要なので費用および時間を節約できるという利点を有するが、パターンエッジに液滴の吹き付けに特有の微視的な凹凸が生じやすいこと、インクの飛散や流動などの問題がある。
本発明のパターン形成方法によれば、所望とするパターン形状のエッジに隣接するエッジ周辺部（パターンのエッジラインに沿って隣接するライン外側の狭小領域）の表面を、予め、光照射して変質させ、さらに撥水化処理を施してあるため、親水性のインクがパターン形状領域内に配置（インクジェット印刷法などにより付与）された場合に、表面が撥水化されたエッジ周辺部により区画された領域内にインクが留まり、微視的な凹凸などがなくエッジ精度が良好なパターンが形成される。すなわち、印刷法またはフォトリソグラフィ法などにおける複雑なパターニング工程を必要とせず、より簡単なプロセスでパターンを精度よく形成することができる。
本発明における表面が撥水化されたエッジ周辺部を形成しないで、直接パターンをインクジェットやスクリーン印刷で形成する場合では、粘度が低い材料（インク）では、インクが自由に流れて形成すべき形状に留まらずパターンが変化し崩れてしまうし、粘度が高いインクでは、インクジェットの打つタイミングで脈動がエッジにそのまま形成されてしまう問題がある。
【００１１】
本発明のパターン形成方法について以下詳しく説明する。
本発明のパターン形成方法は、基板上に、親水性感光樹脂層を形成する工程（１）、親水性感光樹脂層に光を照射して、設定されたパターン形状のエッジに隣接するエッジ周辺部の表面を予め変質させる工程（２）、前記光照射後の基板をフッ素系化合物からなる液体または気体に曝してエッジ周辺部表面を撥水化する工程（３）、前記表面が撥水化されたエッジ周辺部により区画されたパターン形状領域内にインク液を配置する工程（４）を有する。
本発明のパターン形成方法のプロセスを図１の概略模式図に示す。図１において、符号１は基板、２は親水性感光樹脂層、３はエッジ周辺部、４は撥水化されたエッジ周辺部表面、５はパターン形状領域内、６はインク液を示し、（［工程（１）］から［工程（４）］を経由してパターンを形成する。以下、各工程を詳細に説明する。
【００１２】
［工程（１）］
基板上に、親水性を有する感光樹脂（濡れ性の良い材料）を用いて薄膜（親水性感光樹脂層）を形成する。
親水性感光樹脂としては後述のようなものが挙げられ、これら樹脂溶液を基板上に塗布し（例えば、スプレーコーティング、ロールコーティング、スピンナーコーティング、ディピング等）、薄膜（親水性感光樹脂層）を形成することもできるし、予め所定の膜厚に整形した親水性感光樹脂からなる薄膜を基板上に転写し、親水性感光樹脂層を形成することもできる。
親水性感光樹脂層の膜厚としては０．５μｍ〜１０μｍ程度である。膜厚が０．５μｍ未満では塗布膜厚に不均一性が生じやすく、膜厚が１０μｍ超えると仕上がり膜厚に不均一性が発生する傾向がある。
【００１３】
〔基板〕
ここで、親水性感光樹脂層が形成される基板としては特に制限はなく、パターンの使用目的に応じて適宜選択することができる。
基板として、例えば、表面平滑性の高いものから凸凹のある表面を持つものまで任意に選択できるが、板状の基体、いわゆる基板が好ましく使用される。具体的には、公知の合成樹脂性のフィルム、プリント配線板製造用の基板（プリント基板）、ガラス板（ソーダガラス板など）、紙、金属板などが挙げられる。
前記基板として本発明において好ましく用いられる合成樹脂性のフィルムとしては、ポリエチレンテレフタレートフィルム（ＰＥＴ：Polyethylene terephtalate）あるいはポリエチレンナフタレートフィルム（ＰＥＮ：Polyethylene naphthalate）などが挙げられる。これらのフィルムは、機械的特性、電気的特性、耐熱特性などが良好で可撓性があり、市販材料として流通している一般的な材料であるため入手が容易であることなどの点から好ましく使用できる。なお、ガラス転移温度（ＴＧ：やわらかくなりはじめる温度）はＰＥＴよりもＰＥＮの方が高く、ガスの透過性はＰＥＴよりもＰＥＮの方が低くなっていて密な基板となっている。
【００１４】
〔親水性感光樹脂〕
前記親水性感光樹脂層は、基板上に、親水性を有する感光樹脂（親水性感光樹脂）を用いて形成されるが、この際、親水性感光樹脂（光照射により重合又は硬化可能な化合物）と必要に応じて重合開始剤とを含有せしめる。つまり、親水性感光樹脂層に光（例えば、レーザ光線）を照射して、照射部分の表面を変質させることが可能な樹脂組成を選択することが必要である。
ここで、「変質」とは、光照射により親水性感光樹脂が重合又は硬化し、収縮を伴う変化により、予め形成すべき設定されたパターン形状のエッジに隣接するエッジ周辺部の表面に微細な溝を形成することを指す。微細な溝は、所謂パターンのエッジラインに沿って隣接するライン外側の狭小領域に形成される。
【００１５】
上記重合又は硬化可能な化合物（親水性感光樹脂）としては、公知の化合物が特に限定なく使用することができるが、分子内にエチレン性不飽和２重結合を少なくとも１個有する化合物（例えば、モノマー類）が好ましく用いられる。
分子内に２重結合を１個有する化合物（モノマー）の具体例としては、例えば、2-エチルヘキシルアクリレート、2-ヒドロキシプロピルアクリレート、グリセロールアクリレート、テトラヒドロフルフリルアクリレート、フェノキシエチルアクリレート、ノニルフェノキシエチルアクリレート、テトラヒドロフルフリルオキシエチルアクリレート、テトラヒドロフルフリルオキシヘキサノリドアクリート、1,3-ジオキサンアルコールのε-カプロラクトン付加物のアクリレート、1,3-ジオキソランアクリレート等の単官能アクリル酸エステル類が挙げられる。
分子内に２重結合を２個有する化合物（モノマー）の具体例としては、例えば、エチレングリコールジアクリレート、トリエチレングルコールジアクリレート、ペンタエリスリトールジアクリレート、ハイドロキノンジアクリレート、レゾルシンジアクリレート、ヘキサンジオールジアクリレート、ネオペンチルグリコールジアクリレート、トリプロピレングリコールジアクリレート、ヒドロキシピバリン酸ネオペンチルグリコールのジアクリレート、ネオペンチルグリコールアジペートのジアクリレート、ヒドロキシピバリン酸ネオペンチルグリコールのε-カプロラクトン付加物のジアクリレート、2-(2-ヒドロキシ-1,1-ジメチルエチル)-5-ヒドロキシメチル-5-エチル-1,3-ジオキサンジアクリレート、トリシクロデカンジメチロールアクリレート、トリシクロデカンジメチロールアクリレートのε-カプロラクトン付加物、1,6-ヘキサンジオールのジグリシジルエーテルのジアクリレート等の２官能アクリル酸エステル類が挙げられる。
分子内に２重結合を３個以上有する化合物（モノマー）の具体例としては、例えば、トリメチロールプロパントリアクリレート、ジトリメチロールプロパンテトラアクリレート、トリメチロールエタントリアクリレート、ペンタエリスリトールトリアクリレート、ペンタエリスリトールテトラアクリレート、ジペンタエリスリトールテトラアクリレート、ジペンタエリスリトールペンタアクリレート、ジペンタエリスリトールヘキサアクリレート、ジペンタエリスリトールヘキサアクリレートのε-カプロラクトン付加物、ピロガロールトリアクリレート、プロピオン酸・ジペンタエリスリトールトリアクリレート、プロピオン酸・ジペンタエリスリトールテトラアクリレート、ヒドロキシピバルアルデヒド変性ジメチロールプロパントリアクリレート等の多官能アクリル酸エステル類が挙げられる。
あるいは前記アクリレートをメタクリレート、イタコネート、クロトネート、マレエートに代えたメタリル酸、イタコン酸、クロトン酸、マレイン酸のエステル誘導体等を挙げることができる。
上記の中でも、アクリル酸エステル、メタクリル酸エステル化合物が特に好適に使用できる。これらの化合物のうち１種または２種以上を混合して用いることができる。
【００１６】
その他に、重合又は硬化可能な化合物、いわゆる付加重合もしくは架橋可能な化合物として、適当な分子量のオリゴマーにアクリル酸またはメタアクリル酸を導入し、光重合性を付与したプレポリマーと呼ばれるものも好適に使用できる。ここで、「アクリル酸またはメタアクリル酸」を「（メタ）アクリル酸」と表記する場合がある。
プレポリマーとしては、例えば、ポリエステルに（メタ）アクリル酸を導入したポリエステルアクリレート類、エポキシ樹脂に（メタ）アクリル酸を導入したエポキシアクリレート類、ウレタン樹脂に（メタ）アクリル酸を導入したウレタンアクリレート類、シリコーン樹脂に（メタ）アクリル酸を導入したシリコーンアクリレート類、その他のアクリレート類等が挙げられる。
【００１７】
上記ポリエステルアクリレート類としては、例えば、アジピン酸、トリメリット酸、マレイン酸、フタル酸、テレフタル酸、ハイミック酸、マロン酸、こはく酸、グルタール酸、イタコン酸、ピロメリット酸、フマル酸、グルタール酸、ピメリン酸、セバシン酸、ドデカン酸、テトラヒドロフタル酸等の多塩基酸と、エチレングリコール、プロピレングルコール、ジエチレングリコール、プロピレンオキサイド、1,4-ブタンジオール、トリエチレングリコール、テトラエチレングリコール、ポリエチレングリコール、グリセリン、トリメチロールプロパン、ペンタエリスリトール、ソルビトール、1,6-ヘキサンジオール、1,2,6-ヘキサントリオール等の多価アルコールの反応により形成されるポリエステルに（メタ）アクリル酸を導入して得られるプレポリマーが挙げられる。
上記エポキシアクリレート類としては、例えば、ビスフェノールＡ・エピクロルヒドリン・（メタ）アクリル酸、フェノールノボラック・エピクロルヒドリン・（メタ）アクリル酸のように、エポキシ樹脂に（メタ）アクリル酸を導入して得られるプレポリマーが挙げられる。
上記ウレタンアクリレート類としては、例えば、エチレングリコール・アジピン酸・トリレンジイソシアネート・2-ヒドロキシエチルアクリレート、ポリエチレングリコール・トリレンジイソシアネート・2-ヒドロキシエチルアクリレート、ヒドロキシエチルフタリルメタクリレト・キシレンジイソシアネート、1,2-ポリブタジエングリコール・トリレンジイソシアネート・2-ヒドロキシエチルアクリレート、トリメチロールプロパン・プロピレングルコール・トリレンジイソシアネート・2-ヒドロキシエチルアクリレートのように、ウレタン樹脂に（メタ）アクリル酸を導入して得られるプレポリマーが挙げられる。
上記シリコーンアクリレート類としては、例えば、ポリシロキサンアクリレート、ポリシロキサン・ジイソシアネート・2-ヒドロキシエチルアクリレート等のように、シリコーン樹脂に（メタ）アクリル酸を導入して得られるプレポリマーが挙げられる。
上記その他のプレポリマーとして、油変性アルキッド樹脂に（メタ）アクリロイル基を導入したアルキッド変性アクリレート類、あるいはスピラン樹脂アクリレート類等が挙げられる。
前記重合又は硬化可能な化合物（付加重合もしくは架橋可能な化合物）としては、プレポリマーだけ１種または２種以上を混合して用いてもよいし、前述のモノマー類と混合して用いてもよい。
【００１８】
親水性感光樹脂層を構成する組成物としては、前記重合又は硬化可能な化合物（親水性感光樹脂）、重合開始剤（光重合開始剤）などが含有されるが、必要に応じて後述のバインダー樹脂などが用いられる。
親水性感光樹脂層を構成する全組成物（感光樹脂層組成物）中、重合又は硬化可能な化合物（親水性感光樹脂）の含有量は、好ましくは５重量％以上８０重量％以下の範囲で配合され、より好ましくは１０重量％以上７０重量％以下の範囲で配合される。親水性感光樹脂の含有量が５重量％未満であると、親水性の層として十分に機能しなく、８０重量％を超えると粒子間が凝集して膨潤してしまう。
ここで、重合開始剤（光重合開始剤）は、基板上に形成された親水性感光樹脂層に光が照射された際、露光により親水性感光樹脂を重合又は硬化させるためのものである。親水性感光樹脂の重合又は硬化に伴って、前述のように形成すべきパターン形状のエッジ周辺部（パターンのエッジラインに沿って隣接するライン外側の狭小領域）の表面に微細な溝を形成することができる。
【００１９】
露光により親水性感光樹脂層（略称、感光性層）を硬化させる重合開始剤としては、公知の光重合開始剤、あるいは熱重合開始剤が使用できる。
光重合開始剤としては、光反応により光重合開始剤（化合物）の化学結合が開裂してラジカルを生成するいわゆる光開裂型のものと、光重合させるモノマー（組成）内の水素を引き抜くことによりラジカルを生成する水素引き抜き型のものが挙げられる。
光開裂型の光重合開始剤としては、例えば、ベンゾインアルキルエーテル、２，２−ジメトキシ−２−フェニルアセトフェノン、２，２−ジエトキシアセトフェノン、α−ヒドロキシケトンのオキシム、１−フェニル−１，２−プロパンジオン−２−（ｏ−エトキシカルボニル）オキシム等が挙げられる。一方、水素引き抜き型の光重合開始剤としては、ベンゾフェノン、ベンジル、メチル−ｏ−ベンゾイルベゾエート、アントラキノン類等が使用できる。これら例示した光重合開始剤は、いずれも、有機溶剤に溶解するものである。
熱重合開始剤としては、例えば、クメンヒドロペルオキシド、第３ブチルヒドロペルオキシド、ジクミルペルオキシド、ジ第３ブチルペルオキシド、過酸化ベンゾイル、過酸化アセチル、過酸化ラウロイル、等の有機過酸化物、例えば、アゾビスイソブチロニトリル等のアゾ化合物、過酸化水素と２価の鉄塩、過硫酸塩と硫酸水素ナトリウム、クメンヒドロペルオキシドと２価の鉄塩、過酸化ベンゾイルとジメチルアニリン等のレドックス系重合開始剤の他、ジスルフィド化合物や、マンガントリアセチルアセトナート、ペンタシアノベンジルコバルテート等の有機金属錯体等が使用できる。
【００２０】
重合開始剤としては、前記光重合開始剤、あるいは熱重合開始剤を１種または２種以上を組み合わせたものが好適に使用できる。
これら重合開始剤の配合量は特に限定されないが、好ましくは、重合又は硬化可能な化合物（親水性感光樹脂）１００重量部に対して、０〜２０重量部であり、より好ましくは１０重量部以下である。
【００２１】
前記必要に応じて用いられるバインダー樹脂としては、ポリエステル系樹脂、ポリビニルアセタール系樹脂、ポリウレタン系樹脂、ポリアミド系樹脂、セルロース系樹脂、オレフィン系樹脂、塩化ビニル系樹脂、（メタ）アクリル系樹脂、スチレン系樹脂、ポリカーボネート、ポリビニルアルコール、ポリビニルピロリドン、ポリサルフォン、ポリカプロラクトン樹脂、ポリアクリロニトリル樹脂、尿素樹脂、エポキシ樹脂、フェノキシ樹脂、ゴム系樹脂等が挙げられる。また、分子構造中に不飽和結合を有する樹脂、例えば、ジアリルフタレート樹脂やその誘導体、あるいは塩素化ポリプロピレン等は、前述のエチレン性不飽和結合（エチレン性不飽和２重結合）を有する化合物（所謂、親水性感光樹脂）と重合させることが可能なため、必要に応じて好適に用いることができる。
これらのバインダー樹脂は１種又は２種以上組み合わせて用いることができる。
【００２２】
本発明は、濡れ性の良い材料を基板に形成し、さらに形成したいパターンエッジに隣接するエッジ周辺部のみをレーザー等にて光照射して変質させ、露光後の変質領域を後述のようにフッ素系化合物（溶媒等）からなる液体または気体に曝して表面を撥水性に変質させ、撥水化されたエッジ周辺部により区画されたパターン形状領域内の親水性感光樹脂層上に印刷もしくは塗工によりインク液（例えば、導電性材料）を配置しパターンを形成するものであることから、露光用マスクを用いる必要もなく、版なども必要としない。
【００２３】
なお、用途により光照射後において変質したエッジ周辺部以外の親水性感光樹脂層領域が不要である場合には溶解液（例えば、アルカリ溶液）等により処理して除去することもできる。この場合には、インクはエッジ周辺部により区画されたパターン形状領域内の基板上に配置されることになる。
このように、光照射により変質したエッジ周辺部以外の親水性感光樹脂層領域を予め除去する用途の場合には、前記親水性感光樹脂層を構成する組成物として、重合又は硬化可能な化合物（親水性感光樹脂）、重合開始剤（光重合開始剤）、感光性基およびアルカリ溶液での溶解性（アルカリ現像性）を付与するための酸基を導入した化合物（バインダー）を含有してなるものが好ましくもちいられる。さらに必要に応じて、熱架橋剤やフィラーなどのその他の成分を含有してもよい。
【００２４】
［工程（２）］
工程（２）は、前記基板上に形成した親水性感光樹脂層に光を照射して、設定されたパターン形状のエッジに隣接するエッジ周辺部の表面を予め変質させる工程（露光工程）である。
前記露光工程においてはマスクを用いずに親水性感光樹脂層（略、感光層）に直接光を照射し露光（マスクレス露光）することができる。
露光に用いられる光線（化学線）としては紫外線、可視光線、電子線、Ｘ線などがあるが、本発明では水銀灯のｉ線（３６５ｎｍ）、ｈ線（４０５ｎｍ）、ｇ線（４３６ｎｍ）を用いることが好ましく、特にレーザー光線による光照射が好ましい。
前記露光工程では、露光光の焦点は、感光層の表面よりも基板側の位置に調節される。なお、前記露光光の焦点は、光照射に用いる露光装置（露光機）のコンピューター自動制御によって調節されて制御されることが望ましい。例えば、感光層の厚みを露光機に入力することにより焦点を自動制御する。
レーザー露光の例としては、例えば、マスクレス、ラスター走査方式により、露光装置として波長４００ｎｍ程度のＡｒレーザーを用い、スポット径１０μｍ前後で、設定されたパターン形状のエッジに隣接するエッジ周辺部（所謂、パターンのエッジラインに沿って隣接するライン外側の狭小領域）の表面に直接レーザー描画（露光）する。露光するパターン形状のエッジライン外側の狭小領域（エッジ周辺部）はＣＡＤを使用して設計すればよい。
【００２５】
［工程（３）］
工程（３）は、前記光照射後の基板をフッ素系化合物からなる液体または気体に曝してエッジ周辺部表面を撥水化する工程である。
撥水化する工程で用いるフッ素系化合物としては、フッ素系溶媒が好ましく用いられる。すなわち、フッ素系溶媒（構成元素としてフッ素を含有する化学構造式で表わされる溶媒）としてハイドロクロロフルオロカーボン（ＨＣＦＣ）、６フッ化ベンゼン、フッ化エーテルなどが挙げられる。
ハイドロクロロフルオロカーボン（ＨＣＦＣ）の具体例としては、例えば、ＨＣＦＣ−１２３（冷媒として使われている。）などが、フッ化エーテルの具体例としては、例えば、ＣＨ３ＯＣＦ２ＣＦ３、ＣＦ３ＯＣＦ２ＣＦ３、三フッ化ホウ素エチルエーテル[（Ｃ２Ｈ５）２Ｏ・ＢＦ３]などが例示される。
なお、これら例示に限定されるものではなく、本発明の撥水化工程に適用可能なフッ素系化合物であればいずれも使用可能である。
フッ素系化合物からなる液体または気体に曝す方法としては、例えば、フッ素系溶媒を塗布するか、溶液中に浸漬するか、蒸気中に曝露するか、これらを組合せた方法が用いられ、これらの処理によって前記エッジ周辺部の表面を変質させた親水性感光樹脂層を撥水化することができる。
【００２６】
すなわち、フッ素系溶媒に曝すことにより、光照射（例えば、レーザー露光）により変質したエッジ周辺部の表面が選択的にフッ素を含有する組成と結合して撥水性となる。
撥水化に至るメカニズムの詳細は不明であるが自己組織化膜（self assembly膜）が形成されている可能性もある。すなわち、当該フッ素系化合物の溶液中または蒸気（気体雰囲気）中において、フッ素系化合物が光照射（例えば、レーザー露光）により変質したエッジ周辺部の表面に自発的に化学吸着し、自己集合化膜［自己組織化膜、またはセルフアセンブリ（self assembly）膜：２次元の単分子膜］、を形成するものと想定される。なお、レーザー露光されていない未変質の親水性感光樹脂層表面は親水性が大きいため、フッ素系化合物との結合（化学吸着）が起こりにくく撥水性となりにくい。
撥水処理の方法や処理時間は、親水性感光樹脂層の種類や、用いるフッ素系化合物（フッ素系溶媒）などにより適切な条件を設定する必要があり一義的に決められないが、例えば、ポリイミド系感光性材料を親水性感光樹脂層とした場合、フッ化エーテル溶媒中で２分〜１０分程度でも処理可能である。
【００２７】
本発明のパターン形成方法において、前記工程（１）、工程（２）、工程（３）の後、前記表面が撥水化されたエッジ周辺部と同じ箇所に再度光を照射する工程を介在させ、前記再度光照射されたエッジ周辺部により区画されたパターン形状領域内にインク液を配置する工程とすることができる。
表面が撥水化されたエッジ周辺部と同じ箇所に再度光を照射する工程を介在させることにより、工程（２）、で形成された親水性感光樹脂の重合又は硬化による収縮を伴う変化で形成された微細な溝が、さらに熱収縮により深い溝に変化する。これに伴ってエッジ周辺部が見かけ上盛り上がると考えられる。このようなエッジ周辺部を形成し、粘度の高いインク（例えば、導電性インク）を用いてパターンを形成すれば、パターンエッジがなだらかな形状を呈し通常はかまぼこ型に形成されるのが、パターンエッジが盛り上がり、銅箔等のバルク導電体を形成した場合に近いエッジが形成される。
【００２８】
［工程（４）］
工程（４）は、前記表面が撥水化されたエッジ周辺部により区画されたパターン形状領域内にインク液を配置する工程である。
インク液としては、着色剤（顔料や染料）を含むインク、磁性材料や導電性材料などの機能性材料を含むインクなどがあり、目的に応じて用いられる。ここで、着色剤としては、各種公知の染料及び顔料を用いることができる。顔料を用いた場合、必要に応じて分散剤等を用いることもできる。当然、組成分として着色剤（色材）を含まないインクであってもよい。また、磁性材料や導電性材料などの機能性材料を含むインクの使用により、目視で認識可能な情報以外にも多様な印刷が可能である。
前記導電性材料を含むインク（導電性インク）としては、一般的な導電性材料を用いることができるが、基板に合成樹脂性のフィルム（プラスチックフィルム）を用いる場合には、低温プロセスを適用するので比較的低温（例えば、１５０度以下）で硬化するインクがよい。
導電性インクとしては、導電性ナノ粒子を含むインクが好ましく用いられ、例えば、導電性ナノ粒子（金属ナノ粉末）が、金属ナノ粉末、金属ナノ粉末および金属コロイド類を組み合わせたもの、あるいは金属ナノ粉末、並びに被還元性金属塩（metal reducible salt）および／または有機金属錯体類を分解して導電性材料を形成する有機金属化合物などから得られるものが挙げられる。
【００２９】
前記パターン形状領域内にインク液を配置した後、基板あるいは親水性感光樹脂層への定着性（接着）を維持し耐久性を向上させるため、インクの種類にもよるが熱処理するのが好ましい。この場合、プラスチックフィルムを基板に用いる場合には、１５０度以下で加熱処理することができるものがよい。
【００３０】
一方、形成されたパターンをデバイス（パターンと半導体素子を備えた構成）に用いる場合には、加熱処理後に基板の反りなどの変形が少なく、細線の形成が可能で、加熱後の導体膜（パターン）表面が平滑で、基板あるいは親水性感光樹脂層との接着強度が高く、ワイヤボンディング性が良好なインク（例えば、低温焼成多層基板用導電性ペースト）を用いる必要がある。このような焼成インクの場合の焼成条件としては１５０℃以上３５０℃以下が好ましいが、本発明は特に低温硬化性において優れた導電性パターンを形成することから、１８０℃以上２５０℃以下がより好ましい。
【００３１】
ここで、焼結処理は、例えば、インクの溶媒除去後、金属粒子表面あるいは金属の酸化皮膜表面に吸着している金属粒子分散剤を消失させ、金属粒子同士を融合して導電性を発現させるために必要な処理である。この金属粒子同士が融合するためにエネルギーの付与が必要であり、主に熱エネルギーの付与が考えられるが、特に限定されない。例えば、加熱による焼結や光エネルギーの照射による光焼成で焼結処理を行うことができる。この場合、低温加熱の状態で金属粒子の焼成を行う。ここで言う低温とは基材が熱によるダメージを受けない、温度を指す。光焼成における光源としてはキセノンランプなど公知のエネルギー付与が可能な光照射手段が使用可能である。また、前記焼結を無酸素雰囲気下での焼成により行うことができる。酸素がないことにより焼成後の金属が酸化されることがなく、導電率が向上する。このような雰囲気としては窒素やアルゴンなどの不活性ガスで置換された雰囲気等が好ましい。
【００３２】
上記エッジ周辺部により区画されたパターン形状領域内にインク液を配置する方法として、インクジェット法もしくはディスペンサー法（ディスペンサー方式）などが用いられるが、インクジェット法が好ましく用いられる。
インクジェット法による印刷では、前記パターン形状領域内に配置されたインク液を乾燥・熱処理（必要により焼成）することで導電パターンが形成される。
インクジェット法によれば、区画されたパターンにおけるエッジを精度よく安定して形成することができ、例えば、表面が撥水化されたエッジ周辺部の形成により、インクジェットの打つタイミングで生じるインク液の脈動に基づく凹凸が解消されると共に、パターンの微細化および材料使用量の低減化を図ることができる。つまり、マスクを用いたり、エッチング処理を必要としないので複雑なパターニング工程を経ず、より簡単なプロセスでパターンを精度よく形成することができ、製造プロセスの簡略化および低コスト化を実現できる可能性がある。
【００３３】
インクジェット法で使用するインクとしては、前述の導電性ナノ粒子を含むインク（例えば、一次粒径がｎｍオーダーの金属微粒子を液体に分散したいわゆるナノメタルインク）を用いることができる。このようなナノメタルインクは金属微粒子の粒径がｎｍオーダーであるため、バルク体よりも融点が低下してバルクの融点よりも低い焼成温度でナノ粒子同士が融着し、パターン（電極パターン）が導体となる。
インクジェット法に用いるインクの粘度、としては、基板あるいは親水性感光樹脂層の種類により選択されるが、吐出温度において３ｍＰａ・ｓ〜３０ｍＰａ・ｓ程度の範囲であることが好適である。インクの粘度が一定範囲に調整されることにより、エッジ精度の良好なパターン形成が安定して行える。なお、粘度は回転粘度計により測定される。
すなわちインクの粘度が上記範囲よりも低い場合には、流動し易いことにより、表面が撥水化されたエッジ周辺部により区画されたパターン形状領域内にインク液滴を留めるのが難しくなることがあり、粘度が上記範囲よりも高い場合には、インクジェット装置のノズルからの吐出安定性が悪くなってインク液滴の着弾位置のズレなどが発生しパターン形状領域内にインク液を配置するのが難しくなる場合がある。
【００３４】
前記インクジェット法に用いるインクジェット装置としては、例えば、図２の斜視図に示す構成の液滴吐出塗布装置を用いることができる。
図２に示す液滴吐出塗布装置１０において、架台１１の上に、Ｙ軸駆動手段１２が設置してあり、その上に基板１３を搭載するステージ１４がＹ軸方向に駆動できるように設置されている。なお、ステージ１４には図示されていない真空、静電気などの吸着手段が付随して設けられており、基板１３が固定されている。また、Ｘ軸支持部材１５にはＸ軸駆動手段１６が取り付けられており、これにＺ軸駆動手段１７上に搭載されたヘッドベース１８が取り付けられており、Ｘ軸方向に移動できるようになっている。ヘッドベース１８の上にはインク液を吐出させる液滴吐出ヘッド１９が搭載されている。この液滴吐出ヘッド１９には図示されていないインクタンクから供給用パイプ２０を介してインク液が供給される。このような液滴吐出塗布装置を用いて、前記パターン形状領域内にインク液を的確に配置することができる。
【００３５】
本発明のパターン形成方法により形成されたことを特徴とするパターンは各種用途に用いられ、導電性材料や磁性材料や導電性材料などの機能性材料を含むインクの使用により、目視で認識可能なパターン（着色剤を含むインクを用いた場合）以外にも、多様なパターンの形成が可能である。
導電性パターンと半導体素子を備えたデバイスとすれば、各種電子機器（例えば、携帯電話、ワープロ、パソコン等）などに適用できる。
本発明のパターン形成方法によりエッジ精度の高いパターンが版やマスクを使わない低温工程で安定して形成されるので、半導体素子を備えた各種デバイス、例えば、ＴＦＴ（薄膜トランジスタ）等のスイッチング素子の一部を構成する場合には、高集積化されたスイッチング素子を安定的に得ることができる。デバイスとしては、液晶表示装置、有機エレクトロルミネッセンス表示装置、プラズマ型表示装置等も挙げられる。また、導電性パターンをアンテナ回路とし、ＩＣチップと接続すれば非接触ＩＣカード（ＦＲＩＤ）に適用できる。
本発明のパターン形成方法により形成されたパターン、あるいはパターンと半導体素子を備えたデバイスは、簡単なプロセスでパターンエッジを精度よく安定して形成されるのでパターンの微細化および材料使用量の低減化を図ることができる。
【実施例】
【００３６】
以下、実施例により本発明を更に具体的に説明するが、本発明はこれら実施例などにより何ら限定されるものではない。
【００３７】
先ず実施例および比較例の評価用サンプルの作製方法を説明し、次に得られたサンプルについての評価方法およびその評価結果を示す。
［実施例１〜６、比較例１〜４］
（Ｉ）評価用サンプルの作製
下記により、実施例１〜６および比較例１〜４のパターン（アンテナ回路）を作製し、これらのアンテナ回路にＲＦＩＤ用ＩＣを実装して評価用のＲＦＩＤを作製した。なお、ＲＦＩＤは非接触ＩＣカードを指す。
〔Ａ〕：ＲＦＩＤのアンテナ回路作製
工程（１）：基板上に親水性感光樹脂層を形成
厚さ：０．１ｍｍのポリエチレンテレフタレートフィルム（ＰＥＴ）またはポリエチレンナフタレート（ＰＥＮ）を基板として用いた。これらＰＥＴ製またはＰＥＮ製の基板（寸法：５００ｍｍ×８００ｍｍ）上に、感光性樹脂組成物を、焼成後の膜厚が下記表１に示すようにそれぞれ所定の膜厚（７μｍ〜９μｍ）になるようにスピナー（ミカサ（株）製）を用いて塗布した。次いで、１００℃の乾燥機中で５分間乾燥して親水性感光樹脂層（略、感光性樹脂層）を形成した。感光性樹脂層の厚みは下記表１に示すようにそれぞれ７μｍ〜９μｍであった。感光性樹脂組成物に使用した感光性樹脂はポリイミド系感光性材料（フォトニース：東レ社製）である。
工程（２）：光照射によるエッジ周辺部の表面変質
次に、実施例１〜６については、親水性感光樹脂層（感光性樹脂層））にＡｒレーザー（波長：４０５ｎｍ）を照射して、設定されたＲＦＩＤのパターンのエッジラインに沿って隣接するライン外側の狭小領域（所謂、パターン形状のエッジに隣接するエッジ周辺部）のみ露光させて予め表面を変質させた。露光による変質に伴ってエッジ周辺部に形成された微細な溝の幅は、およそ５００ｎｍ程度であり、この溝がパターン形状のエッジに沿って形成された。なお、ＲＦＩＤのパターンはテスト用に設計したパターンを用いた。
一方、比較例１〜４については光照射によるエッジ周辺部の表面変質を行わなかった。
工程（３）：エッジ周辺部表面を撥水化
前記レーザー照射射後の基板（実施例１〜６）をフッ化エーテル（商品名：“HFE-347pc-f”ダイキン工業社製）中に１分間曝して露光により変質されたエッジ周辺部（微細な溝）表面を撥水化処理した。なお、比較例１〜４については、露光処理が施されていないため、感光性樹脂層（親水性感光樹脂層）の表面は未変質状態であることから、撥水化処理は行っていない。
工程（４）パターン形状領域内にインク液を配置
前記表面が撥水化されたエッジ周辺部により区画されたパターン形状（ＲＦＩＤのパターン）領域内に導電性インクをインクジェットにより塗布した（実施例１〜６）。比較例１〜４の場合には、設定されたパターン形状（エッジ周辺部により区画されていない）に沿って導電性インクをインクジェットにより塗布した。
導電性インクとしては、主成分がエポキシ樹脂でＮｉと金をベースにした粘度が２５ｍＰ・ｓのインク（商品名：ＧＡ−６３３０サンユレック社製）を用いた。
また、インクジェットによる塗布は、エアロジェット（武蔵エンジニアリング社製）を用いディスペンサー方式を採用した。
導電性インクの塗布量は、印加するエア圧力とディスペンスするヘッドの穴内径を適宜調整して制御した。通常はヘッドの穴内径を１００μｍとして塗布し、膜厚を厚くする場合には１２０μｍとして塗布した。なお、ＲＦＩＤパターンの線幅は、細いところでおよそ１００μｍである。
導電性インクの塗布後、１５０℃で３０分間熱処理して導電性のパターン（アンテナ回路）を形成した。導電性パターンを構成する導電性材料の膜厚は下記表１に示すようにそれぞれ１０μｍ、１１μｍ、１７μｍに形成された。
〔Ｂ〕：ＲＦＩＤ（非接触ＩＣカード）の作製
上記で作製した実施例１〜６および比較例１〜４それぞれのアンテナ回路にＲＦＩＤ用ＩＣ（MONZA３）を上記導電性インクに用いたのと同様の導電材料（ＡＣＩ：異方性導電材料）で接合して実装し評価用のＲＦＩＤ（非接触ＩＣカード）を作製した。
【００３８】
（II）ＲＦＩＤの評価
上記で作製した実施例１〜６および比較例１〜４それぞれのアンテナ回路におけるパターン形状のエッジについて評価した。また、上記で作製した実施例１〜６および比較例１〜４それぞれの評価用ＲＦＩＤについて評価（EC Global 標準測定）を行った。結果を下記表１に示す。
エッジ評価およびＲＦＩＤについての評価方法および評価基準は下記による。
〈エッジ評価〉
顕微鏡評価でエッジの精度が、下記のように本来設定された直線から５μｍ以上づれているものを×とし５μｍ以内を○とした。
○：直線からのずれが５μｍ未満
×：直線からのずれが５μｍ以上づれている
〈ＲＦＩＤ評価〉
上記作成した評価用ＲＦＩＤ（デバイス）を電波暗箱に入れてEC Global 標準測定を行い何ｍ飛ぶかを測定した。Voyantic Ltd.社製の装置を用い、キャリア周波数帯域はＵＨＦ帯の９００ＭＨｚ帯で測定した。飛ぶ距離が３ｍ以上であれば良好であり、１ｍ未満では実用に供しない。
【００３９】
【表１】
2014004512.tif 000003
【００４０】
表１の結果から、本発明のパターン形成方法により形成した実施例１〜６のアンテナ回路はいずれもエッジ精度が良好であり、このアンテナ回路にＲＦＩＤ用ＩＣ（MONZA３）を実装したＲＦＩＤはいずれもＲＦＩＤ特性が優れていた。
一方、光照射による露光工程および撥水化工程を省いてパターン形状のエッジに隣接するエッジ周辺部を形成しない比較例１〜４では、エッジ精度が悪く、ＲＦＩＤ特性も実用に供しないレベルであった。
【００４１】
すなわち、本発明のエッジ精度の良好なパターン形成方法によれば、複雑なパターニング工程によらず、より簡単なプロセスでパターンを精度よく形成することができる。
本発明のパターン形成方法により形成されたパターン、あるいはパターンと半導体素子を備えたデバイスとすれば、任意の形状のパターンにおけるパターンエッジを精度よく安定して形成することができ、微細化、複雑形状化などにも対応できるほか、材料使用量の低減化を図ることができる。
本発明のパターン形成方法によりエッジ精度の高いパターンが安定して形成されるので、半導体素子を備えた各種デバイス、例えば、ＴＦＴ（薄膜トランジスタ）等のスイッチング素子の一部を構成する場合には、高集積化されたスイッチング素子を安定的に得ることができる。デバイスとしては、液晶表示装置、有機エレクトロルミネッセンス表示装置、プラズマ型表示装置等も挙げられる。また、導電性パターンをアンテナ回路とし、ＩＣチップと接続すれば非接触ＩＣカード（ＲＦＩＤ）に適用できる。
【符号の説明】
【００４２】
（図１の符号）
１  基板
２  親水性感光樹脂層
３  エッジ周辺部
４  撥水化されたエッジ周辺部表面
５  パターン形状領域内
６  インク液
（図２の符号）
１０  液滴吐出塗布装置
１１  架台
１２  Ｙ軸駆動手段
１３  基板
１４  ステージ
１５  Ｘ軸支持部材
１６  Ｘ軸駆動手段
１７  Ｚ軸駆動手段
１８  ヘッドベース
１９  液滴吐出ヘッド
２０  供給用パイプ
【先行技術文献】
【特許文献】
【００４３】
【特許文献１】特開平１１−２７３５５７号公報
【特許文献２】特許３３９５８４１号公報
【特許文献３】特開２００５−０６２３０７号公報
【特許文献４】特開２００８−２５１２０３号公報
【特許文献５】特開２００５−１２１８１号公報
【特許文献６】特開２００５−３３１５６４号公報
【特許文献７】特許第４５５７７５５号公報
【特許文献８】特許３３８７２０４号公報
【図１】
2014004512.tif 000004
【図２】
2014004512.tif 000005